(57)【要約】【課題】モニタ出力をアナログモニタ出力信号とパルス列出力信号とを切替えて同一端子から出力するモニタ出力装置において、冗長回路を削減する。【解決手段】パルス列生成回路（２１）と、ローパスフィルタ（２２）と、電圧増幅器（２３）と、信号切替手段（２４）と、を備え、前記パルス列生成回路（２１）は、モニタ指令データからパルス信号（ＰＳ）を生成するものであり、前記ローパスフィルタ（２２）は、前記パルス信号（ＰＳ）からアナログ電圧を生成しアナログモニタ出力信号（ＡＭＳ）を生成するものであり、前記電圧増幅器（２３）は、前記パルス信号（ＰＳ）を増幅してパルス列モニタ出力信号（ＰＭＳ）を生成するものであり、前記信号切替え手段（２４）は、前記アナログモニタ出力信号（ＡＭＳ）と前記パルス列モニタ出力信号（ＰＭＳ）を切替えて出力する。【選択図】    図１
2005265442.tif 000002
【特許請求の範囲】
【請求項１】
パルス列生成回路（２１）と、
ローパスフィルタ（２２）と、
電圧増幅器（２３）と、
信号切替手段（２４）と、を備え、
前記パルス列生成回路（２１）は、モニタ指令データからパルス信号（ＰＳ）を生成するものであり、
前記ローパスフィルタ（２２）は、前記パルス信号（ＰＳ）からアナログ電圧を生成しアナログモニタ出力信号（ＡＭＳ）を生成するものであり、
前記電圧増幅器（２３）は、前記パルス信号（ＰＳ）を増幅してパルス列モニタ出力信号（ＰＭＳ）を生成するものであり、
前記信号切替え手段（２４）は、前記アナログモニタ出力信号（ＡＭＳ）と前記パルス列モニタ出力信号（ＰＭＳ）を切替えて出力するものであることを特徴とするモニタ出力装置。
【請求項２】
パルス列生成回路（３１）と、
ローパスフィルタ（３２）と、を備え、
前記パルス列生成回路（３１）は、モニタ指令データからパルス信号（ＰＳ）を生成するものであり、
前記ローパスフィルタ（３２）は、前記ローパスフィルタ（３２）のオペアンプ（４１）の周辺コンデンサ（３９、４０）の有無を切替える切替手段（３３、３４）を有し、前記切替手段（３３、３４）により、前記パルス信号（ＰＳ）からアナログ電圧を生成しアナログモニタ出力信号を生成する機能と、前記パルス信号（ＰＳ）を増幅してパルス列モニタ出力信号を生成する機能の何れかを選択するものであることを特徴とするモニタ出力装置。
【発明の詳細な説明】
【技術分野】
【０００１】
本発明はモニタ出力装置に関し、特に、モニタ出力をアナログモニタ出力とパルス列出力とを切替えて同一端子から出力するモニタ出力装置に関する。
【背景技術】
【０００２】
インバータ装置では出力周波数をアナログメータでモニタしたいという要求と、パルス計測器で測定したいという要求がある。その要求に応じる為、アナログモニタ出力とパルス列出力を切替えて同一端子から出力している。（例えば非特許文献１参照）
図３は従来のモニタ出力装置の回路構成図である。
図３において、１１はＤ／Ａコンバータ、１２はパルス列生成回路、１３、１４は電圧増幅器、１５はスイッチ、ＡＭＳはアナログモニタ出力信号、ＰＭＳはパルス列モニタ出力信号、ＰＳはパルス信号である。
アナログモニタ出力信号とパルス列モニタ出力信号とを同一端子から出力する従来のモニタ出力装置について説明する。
モニタ指令データからＤ／Ａコンバータ１１を用いて出力周波数に比例したアナログ信号を生成し、さらに電圧増幅器１３を通して作成したアナログモニタ出力信号ＡＭＳと、前記モニタ指令データからパルス列生成回路１２を用いて出力周波数に比例したパルス信号ＰＳを生成し、電圧増幅器１４を通して作成したパルス列モニタ信号ＰＭＳを、スイッチ１５で切替えて出力している。
このように、従来のモニタ出力装置は、アナログモニタ出力信号とパルス列モニタ出力信号を別々の回路で整形して最終段のスイッチで切替えて出力するのである。
【非特許文献１】ＶＳ  ｍｉｎｉ  Ｖ７取扱説明書（ＴＯ−Ｓ６０６−１１Ｆ）第６３〜６５ページ、発行：株式会社安川電機
【発明の開示】
【発明が解決しようとする課題】
【０００３】
従来のモニタ出力装置は、モニタ指令データをモニタ出力に変換するためにＤ／Ａコンバータと電圧増幅器によるアナログモニタ出力回路と、パルス列生成回路と電圧増幅器によるパルス列モニタ出力回路が別々に必要であり、冗長回路が増えることで回路コストがあがるという問題があった。また、部品点数の増加となるので、部品不良率が上がるというような問題もあった。
本発明はこのような問題点に鑑みてなされたものであり、アナログモニタ出力回路とパルス列モニタ出力回路を共用し、冗長回路を削減することができるモニタ出力装置を提供することを目的とする。
【課題を解決するための手段】
【０００４】
上記問題を解決するため、本発明は、次のように構成したのである。
請求項１に記載の発明は、パルス列生成回路と、ローパスフィルタと、電圧増幅器と、信号切替手段と、を備え、前記パルス列生成回路は、モニタ指令データからパルス信号を生成するものであり、前記ローパスフィルタは、前記パルス信号からアナログ電圧を生成しアナログモニタ出力信号を生成するものであり、前記電圧増幅器は、前記パルス信号を増幅してパルス列モニタ出力信号を生成するものであり、前記信号切替え手段は、前記アナログモニタ出力信号と前記パルス列モニタ出力信号を切替えて出力するものであることを特徴としている。
また、請求項２に記載の発明は、パルス列生成回路と、ローパスフィルタと、を備え、前記パルス列生成回路は、モニタ指令データからパルス信号を生成するものであり、前記ローパスフィルタは、前記ローパスフィルタのオペアンプの周辺コンデンサの有無を切替える切替手段を有し、前記切替手段により、前記パルス信号からアナログ電圧を生成しアナログモニタ出力信号を生成する機能と、前記パルス信号を増幅してパルス列モニタ出力信号を生成する機能の何れかを選択するものであることを特徴としている。
【発明の効果】
【０００５】
請求項１に記載の発明によると、従来技術を示す図３のＤ／Ａコンバータ１１を削減することができる。
また、請求項２に記載の発明によると、従来技術を示す図３のＤ／Ａコンバータ１１、および電圧増幅回路１４を削減することができる。
このように、冗長回路を削減することができ、コストの削減と不良率の減少が達成できる。
【発明を実施するための最良の形態】
【０００６】
以下、本発明の具体的実施例について、図に基づいて説明する。
【実施例１】
【０００７】
図１は、本発明の第１実施例を示すモニタ出力装置の回路構成図であり、モニタ指令データ入力からモニタ信号出力までの回路構成図である。
図１において、２１はパルス列生成回路、２２はローパスフィルタ、２３は電圧増幅器、２４は信号切替え手段すなわちスイッチ、ＡＭＳはアナログモニタ出力信号、ＰＭＳはパルス列モニタ出力信号、ＰＳはパルス信号である。
本発明が従来技術と異なる点は、アナログモニタ出力信号とパルス列モニタ出力信号を、いずれも同じパルス列生成回路２１から生成している点であり、Ｄ／Ａコンバータ１１を不要としている点である。
さらに詳しく出力周波数をモニタする場合を例に説明すると、モニタされるデータすなわち、出力周波数を示すモニタ指令データはパルス列生成回路２１に入力され、出力周波数に比例したパルス信号ＰＳに変換される。
パルス信号ＰＳはトランジスタと抵抗からなる電圧増幅器２３により増幅されパルス列モニタ出力信号ＰＭＳとなる。
パルス信号ＰＳは、また、オペアンプ、抵抗、コンデンサで構成されたローパスフィルタ２２に入力され、出力周波数に比例したアナログ信号に成形されアナログモニタ出力信号ＡＭＳとなる。
アナログモニタ出力信号ＡＭＳと、パルス列モニタ出力信号ＰＭＳをスイッチ２４で切替えて一つの端子（不図示）から出力するようになっている。
したがって、第１実施例は上記構成としたので、従来技術を示す図３のＤ／Ａコンバータ１１を削減することができ、コストの削減と不良率の減少が達成できる。
【実施例２】
【０００８】
図２は、本発明の第２実施例を示すモニタ出力装置の回路構成図である。
図２において、３１はパルス列生成回路、３２はローパスフィルタ、３３、３４は切替手段すなわちスイッチであり例えばアナログスイッチ、３５〜３８は抵抗、３９、４０はコンデンサ、４１はオペアンプ、ＰＳはパルス信号である。
本発明が第１実施例と異なる点は、第１実施例におけるローパスフィルタ２２と電圧増幅器２３の機能、すなわちパルス信号ＰＳからアナログ電圧を生成しアナログモニタ出力信号を生成する機能と、パルス信号ＰＳを増幅してパルス列モニタ出力信号を生成する機能の何れかを、ローパスフィルタ３２のオペアンプ４１の周辺コンデンサ３９、４０の有無を切替えることで選択する点である。
ローパスフィルタ３２は同時に動作する２つのアナログスイッチ３３、３４、抵抗３５〜３８、コンデンサ３９、４０、およびオペアンプ４１から構成されている。オペアンプ４１の＋入力端子には抵抗３５、３６が直列に接続されており、パルス列生成回路３１で生成されたパルス信号ＰＳが入力される。また、抵抗３５、３６の中点にはアナログスイッチ３３を介してコンデンサ３９が接続されている。オペアンプ４１の出力と−入力の間には抵抗３７が接続されており、抵抗３７と並列にコンデンサ４０およびアナログスイッチ３４の直列回路が接続されている。また、オペアンプ４１の−入力と０Ｖの間には抵抗３８が接続されている。
アナログスイッチ３３、３４を「オン」に設定すると、ローパスフィルタ３２は図１に示すローパスフィルタ２２と同じ構成になる。出力周波数を示すモニタ指令データはパルス列生成回路３１に入力され、出力周波数に比例した周波数のパルス信号ＰＳに変換される。
このパルス信号ＰＳをローパスフィルタ３２に通してアナログ信号に整形したアナログモニタ出力信号が生成される。
アナログスイッチ３３、３４を「オフ」に設定すると、ローパスフィルタ３２はコンデンサ３９、４０が切り離され、単なる非反転増幅回路となる。すなわち、出力周波数を示すモニタ指令データはパルス列生成回路３１に入力され、出力周波数に比例した周波数のパルス信号ＰＳに変換され非反転増幅回路により増幅されパルス列モニタ出力信号が生成される。
このように、ローパスフィルタ３２は、アナログスイッチ３３、３４により、パルス信号ＰＳからアナログ電圧を生成しアナログモニタ出力信号を生成する機能と、前記パルス信号ＰＳを増幅してパルス列モニタ出力信号を生成する機能の何れかを選択する構成としたので、従来技術を示す図３のＤ／Ａコンバータ１１および電圧増幅回路１４を削減することができ、コストの削減と不良率の減少が達成できる。
【産業上の利用可能性】
【０００９】
モニタ回路の切替え部分を共用することによって回路の小型化が図れるので、モニタ出力装置の小型化にも応用できる。
【図面の簡単な説明】
【００１０】
【図１】本発明の第１実施例を示すモニタ出力装置の回路構成図
【図２】本発明の第２実施例を示すモニタ出力装置の回路構成図
【図３】従来のモニタ出力装置の回路構成図
【符号の説明】
【００１１】
１１  Ｄ／Ａコンバータ
１２、２１、３１  パルス列生成回路
１３、１４、２３  電圧増幅回路
１５、２４、３３、３４  スイッチ
２２、３２  ローパスフィルタ回路
３５、３６、３７、３８  抵抗
３９、４０  コンデンサ
４１  オペアンプ
ＡＭＳ  アナログモニタ出力信号
ＰＭＳ  パルス列モニタ出力信号
ＰＳ  パルス信号  
【図１】
2005265442.tif 000003
【図２】
2005265442.tif 000004
【図３】
2005265442.tif 000005